(57)【特許請求の範囲】
【請求項１】
板紙を打ち抜いたブランクで形成され、前後方向に長い直方体形状のカートンであって、天面パネルには、前方蓋部分と後方蓋部分を分離する状態で帯状のジッパーが設けられており、前方蓋部分は、両サイドが切れ目線を介して側面パネルと連設されるとともに中程に折り目線が設けられており、切れ目線を破断して折り目線で二つ折りすることで前側表示部分となり、その前側表示部分は斜め下方に向かって突出する状態で係止され、後方蓋部分は、両サイドが切れ目線を介して側面パネルと連設されるとともに中程に折り目線が設けられており、切れ目線を破断して折り目線で二つ折りすることで後側表示部分となり、その後側表示部分は上方に向かって突出する状態で係止されることを特徴とするディスプレイ機能付きカートン。
【発明の詳細な説明】
【技術分野】
【０００１】
本発明は、板紙で作成されるカートンの技術分野に属し、詳しくは、商品を保管・搬送するために用いられ、開封後は中の商品を展示するために用いられるディスプレイ機能付きカートンに関する。
【背景技術】
【０００２】
一般に、個包装された複数の商品を収納するカートンは、スーパーやコンビニエンスストアなどの店頭まで商品の運搬に使用されるが、商品が取り出されて棚に並べられた後はそのままゴミとして捨てられている。一方、開封後に商品をカートンに入れたままで陳列することも行われており、この場合、展示効果を発揮させるために、カートンの一部にディスプレーとなる表示部分を設けておき、開封後にこの部分をカートンの後部あるいは前部で組み立てるようにした所謂ディスプレイ機能付きカートンが利用されている。
【０００３】
【特許文献１】特開平８−９１３５７号公報
【特許文献２】特開２００４−５１１５０号公報
【発明の開示】
【発明が解決しようとする課題】
【０００４】
上記した従来のディスプレイ機能付きカートンは、ＰＯＰディスプレイを別途用意しなくてもよく、しかも、開封後にワンタッチで一体的に組み立てることができ、陳列棚の限られたスペースでディスプレイの効果を発揮できるという利点を有している。しかしながら、表示部分はカートンの後部あるいは前部に設けられているので、陳列時に表示部分が見えるようにするためには、例えば、表示部分が後部にあるものは或る程度上方に空間がある場所に限られ、また表示部分が前部にあるものは陳列場所が最前列に限られると言った具合に、陳列場所が限定されるという問題点がある。
【０００５】
本発明は、このような問題点に鑑みてなされたものであり、その目的とするところは、開封後にワンタッチで組み立てられることはもちろん、陳列場所の選択に幅を持たせたディスプレイ機能付きカートンを提供することにある。
【課題を解決するための手段】
【０００６】
上記の目的を達成するため、本発明のディスプレイ機能付きカートンは、板紙を打ち抜いたブランクで形成され、前後方向に長い直方体形状のカートンであって、天面パネルには、前方蓋部分と後方蓋部分を分離する状態で帯状のジッパーが設けられており、前方蓋部分は、両サイドが切れ目線を介して側面パネルと連設されるとともに中程に折り目線が設けられており、切れ目線を破断して折り目線で二つ折りすることで前側表示部分となり、その前側表示部分は斜め下方に向かって突出する状態で係止され、後方蓋部分は、両サイドが切れ目線を介して側面パネルと連設されるとともに中程に折り目線が設けられており、切れ目線を破断して折り目線で二つ折りすることで後側表示部分となり、その後側表示部分は上方に向かって突出する状態で係止されることを特徴とする。
【発明の効果】
【０００７】
本発明のディスプレイ機能付きカートンは、ジッパーを除去し、前方蓋部分と後方蓋部分を側面パネルから切り離して開封した後、これら前方蓋部分と後方蓋部分をそれぞれ二つ折りして係止することで、カートンの前後にそれぞれ前垂れタイプの前側表示部分と起立タイプの後側表示部分が形成されるため、通常の陳列場所はもちろん、高さの低い陳列棚や幅の狭い陳列棚に並べた場合でも表示部分が見えることから、特定の場所に限定されるということがなく、陳列場所の選択に幅を持たせることができる。
【発明を実施するための最良の形態】
【０００８】
次に、本発明の実施の形態について図面を参照しながら詳細に説明する。
【０００９】
図１は本発明に係るディスプレイ機能付きカートンの一例を示す斜視図、図２は図１に示すディスプレイ機能付きカートンを組み立てるブランクの展開図である。
【００１０】
図２のブランクは、板紙を打ち抜いて形成されたもので、図示のように、側面パネル１、天面パネル２、側面パネル３、底面パネル４、側面内側パネル５がこの順で横方向に連設されている。また、天面パネル２の前後にそれぞれ前面パネル６、背面パネル７が連設され、底面パネル４の前後にそれぞれ前面内側パネル８、背面内側パネル９が連設されており、側面パネル３の前後にそれぞれ折込みフラップ１０，１１が連設され、側面内側パネル５の前後にそれぞれ折込みフラップ１２，１３が連設されている。
【００１１】
そして、天面パネル２には、その中央に前方蓋部分２ａと後方蓋部分２ｂを分離する状態で帯状のジッパー２ｃが設けられており、前方蓋部分２ａは、両サイドが図示の如き切れ目線ａ，ｂを介してそれぞれ側面パネル１，３と連設されるとともに中程に押罫からなる折り目線ｃが設けられており、後方蓋部分２ｂは、両サイドが図示の如き切れ目線ｄ，ｅを介して側面パネル１，３と連設されるとともに中程に押罫からなる折り目線ｆが設けられている。また、前方蓋部分２ａの切れ目線ａ，ｂは前面パネル６側で内側に傾斜するとともに、後方蓋部分の切れ目線ｄ，ｅも背面パネル７側で内側に傾斜しており、開封時に天面パネル２の四隅に三角状のコーナー部分を残すようになっている。
【００１２】
前方蓋部分２ａには、繋ぎのあるＵ字状の切込みと押罫とによって、前面パネル６と反対側に係止片１４が区画されている。この係止片１４は、天面パネル２と前面パネル６の境界に設けた切込αに差し込んで係止するサイズになっており、前方蓋部分２ａを折り目線ｃで二つ折りした状態で係止片１４をその切込αに差し込むことで、前側表示部分を斜め下方に向かって突出させた状態とすることができる。
【００１３】
後方蓋部分２ｂには、ジッパー２ｃの中程を細くすることで背面パネル７と反対側に凸部１５が設けられている。この凸部１５は、天面パネル２における背面パネル７寄りの２つのコーナー部分の間に嵌まって係止するサイズになっており、後方蓋部分２ｂを折り目線ｆで二つ折りした状態で凸部１５をそのコーナー部分の間に嵌めることで、後側表示部分を上方に向かって突出させた状態とすることができる。
【００１４】
この図２に示すブランク板を組み立てて図１に示すディスプレイ機能付きカートンを形成するが、その手順は通常のカートンと同様である。まず、側面パネル１と天面パネル２の間、底面パネル４と側面内側パネル５の間でそれぞれ折り曲げてブランクをサック貼りする。そして、充填工程において、サック貼りしたブランクを角筒状に起こしてから、一方の端部を閉鎖し、この片方の端部を閉じた状態で内容物を入れた後、もう一方の端部を閉じて組立てを完了する。
【００１５】
図１のディスプレイ機能付きカートンは、店頭等において開封し、中の商品が見える状態にするとともに、図３に示すように、前側表示部分Ａと後側表示部分Ｂを組み立ててから陳列棚等の陳列場所に並べる。具体的には、まず、ジッパー２ｃを除去した後、切れ目線ａ，ｂで前方蓋部分２ａを側面パネル１，３から切り離すとともに、切れ目線ｄ，ｅで後方蓋部分２ｂを側面パネル１，３から切り離して開封する。次いで、前方蓋部分２ａを折り目線ｃで二つ折りし、その状態で係止片１４をその切込αに差し込んで、前側表示部分Ａを斜め下方に向かって突出させた状態とする。また、後方蓋部分２ｂを折り目線ｆで二つ折りし、その状態で凸部１５をそのコーナー部分の間に嵌めることで、後側表示部分Ｂを上方に向かって突出させた状態とする。
【００１６】
これにより、図３に示す如く、カートンの前後にそれぞれ前垂れタイプの前側表示部分Ａと起立タイプの後側表示部分Ｂが形成される。そして、このカートンは、前後方向に長い直方体形状であるので、陳列棚に縦向きに並べることになるが、両方の表示部分Ａ，Ｂが見える状態になる。また、前後に詰める状態で並べる場合は、前側表示部分Ａが隠れても後側表示部分Ｂが目立つことになり、高さの低い陳列棚に並べる場合には、前側表示部分Ａが目立つことになる。このように、陳列場所を特定の場所に限定しなくても表示部分を見える状態にできる範囲が増えることになる。
【００１７】
以上、本発明の実施の形態について詳細に説明してきたが、本発明によるディスプレイ機能付きカートンは、上記実施の形態に何ら限定されるものではなく、本発明の趣旨を逸脱しない範囲において種々の変更が可能であることは当然のことである。
【図面の簡単な説明】
【００１８】
【図１】本発明に係るディスプレイ機能付きカートンの一例を示す斜視図である。
【図２】図１に示すディスプレイ機能付きカートンを組み立てるブランクの展開図である。
【図３】図１に示すディスプレイ機能付きカートンを使用状態で示す斜視図である。
【符号の説明】
【００１９】
１  側面パネル
２  天面パネル
２ａ  前方蓋部分
２ｂ  後方蓋部分
２ｃ  ジッパー
３  側面パネル
４  底面パネル
５  側面内側パネル
６  前面パネル
７  背面パネル
８  前面内側パネル
９  背面内側パネル
１０，１１，１２，１３  折込みフラップ
１４  係止片
１５  凸部
Ａ  前側表示部分
Ｂ  後側表示部分
ａ，ｂ，ｄ，ｅ  切れ目線
ｃ，ｆ  折り目線
α  切込
【図１】
0005062528.tif 000002
【図２】
0005062528.tif 000003
【図３】
0005062528.tif 000004